(57)【要約】【課題】  碍子連のなかの特定の碍子を交換する際に、安全かつ迅速に作業を行え、かつ、碍子などの落下を防止することを可能にする碍子支持ネットを提供する。【解決手段】  碍子１を連結する連結ピン６が通過できない網目の大きさを有し、かつ、碍子１を保持可能なネット本体２１と、ネット本体２１の周縁部に設けられ、ネット本体２１を碍子取替器１０に取り付けるための取付具２２と、を備え、取付具２２でネット本体２１を碍子取替器１０に取り付けることで、碍子取替器１０で挟まれた碍子１の下側をネット本体２１が覆う。【選択図】  図１
2018085811.tif 000002
【特許請求の範囲】
【請求項１】
碍子が複数連結された碍子連のなかから、特定の碍子を交換するために用いられる碍子取替器に取り付けられる碍子支持ネットであって、
前記碍子を連結する連結ピンが通過できない網目の大きさを有し、かつ、前記碍子を保持可能なネット本体と、
前記ネット本体の周縁部に設けられ、前記ネット本体を前記碍子取替器に取り付けるための取付具と、
を備え、前記取付具で前記ネット本体を前記碍子取替器に取り付けることで、前記碍子取替器で挟まれた碍子の下側を前記ネット本体が覆う、ことを特徴とする碍子支持ネット。
【請求項２】
前記取付具がフックで構成され、該取付具を前記碍子取替器の棒状のターンバックルに引っ掛けることで、前記ネット本体が前記碍子取替器に取り付けられる、
ことを特徴とする請求項１に記載の碍子支持ネット。
【請求項３】
前記ネット本体は、半円筒状に形成され、前記碍子取替器で挟まれた碍子の下側を半円筒状に覆う、
ことを特徴とする請求項１または２のいずれか１項に記載の碍子支持ネット。
【発明の詳細な説明】
【技術分野】
【０００１】
この発明は、碍子が複数連結された碍子連のなかから、特定の碍子を交換するために用いられる碍子取替器に取り付けられる碍子支持ネットに関する。
【背景技術】
【０００２】
架空送電線の碍子装置は、懸垂碍子を複数個連結して使用しているものが多く、この碍子連のなかから不良となった１個や２個の碍子を交換する場合、従来から碍子取替器が使用されている（例えば、特許文献１参照。）。この碍子取替器を使用して碍子の交換を行う場合、第１に、碍子取替器の両端の把持金具によって、離間した２つの（中２つを挟む両端の）碍子をそれぞれ把持する。これにより、連結された４つの碍子を挟むように枠状の碍子取替器が装着される。このとき、碍子連には互いに引っ張られる張力がかかっている。
【０００３】
第２に、碍子取替器の把持金具間の寸法を縮めることにより、碍子連の張力を弱める。第３に、不良碍子と隣り合う碍子とを連結する連結ピンを抜く。第４に、不良碍子を取り外し、新しい碍子と交換する。第５に、新しい碍子とこれと隣り合う碍子とを連結ピンにより連結する。第６に、碍子取替器の連結方向（把持金具間）の寸法を拡げ、碍子連に張力を加える、というものである。
【先行技術文献】
【特許文献】
【０００４】
【特許文献１】特開２０１３−４６５３５号公報
【発明の概要】
【発明が解決しようとする課題】
【０００５】
ところで、このような碍子取替器を使用して不良碍子を取り替える場合、鉄塔上の作業員が一方の片手で取り替える碍子を持ち、他方の片手で碍子相互間の連結ピンを外す、という作業を行わなければならない。このため、作業員への負担が大きく，作業に時間もかかるばかりでなく、誤って碍子や連結ピンなどを落下させてしまうおそれがあった。
【０００６】
そこでこの発明は、碍子連のなかの特定の碍子を交換する際に、安全かつ迅速に作業を行え、かつ、碍子などの落下を防止することを可能にする碍子支持ネットを提供することを目的とする。
【課題を解決するための手段】
【０００７】
上記課題を解決するために、請求項１の発明は、碍子が複数連結された碍子連のなかから、特定の碍子を交換するために用いられる碍子取替器に取り付けられる碍子支持ネットであって、前記碍子を連結する連結ピンが通過できない網目の大きさを有し、かつ、前記碍子を保持可能なネット本体と、前記ネット本体の周縁部に設けられ、前記ネット本体を前記碍子取替器に取り付けるための取付具と、を備え、前記取付具で前記ネット本体を前記碍子取替器に取り付けることで、前記碍子取替器で挟まれた碍子の下側を前記ネット本体が覆う、ことを特徴とする。
【０００８】
請求項２の発明は、請求項１に記載の碍子支持ネットにおいて、前記取付具がフックで構成され、該取付具を前記碍子取替器の棒状のターンバックルに引っ掛けることで、前記ネット本体が前記碍子取替器に取り付けられる、ことを特徴とする。
【０００９】
請求項３の発明は、請求項１または２に記載の碍子支持ネットにおいて、前記ネット本体は、半円筒状に形成され、前記碍子取替器で挟まれた碍子の下側を半円筒状に覆う、ことを特徴とする。
【発明の効果】
【００１０】
請求項１の発明によれば、取付具でネット本体を碍子取替器に取り付けることで、碍子取替器で挟まれた碍子の下側が、碍子を保持可能なネット本体で覆われる。このため、作業者が碍子を手で持つ必要がなく、作業者の負担を軽減でき、碍子の交換作業を安全かつ容易、迅速に行うことが可能となる。また、ネット本体の網目の大きさが、連結ピンが通過できない大きさになっているため、碍子や連結ピンの落下を防止することが可能となる。しかも、ネット本体が網であるため軽く、持ち運びや取り扱いが容易となる。
【００１１】
請求項２の発明によれば、取付具がフックで構成されている簡易な構成のため、低コストで碍子支持ネットを製作することが可能となる。また、フックである取付具を碍子取替器のターンバックルに引っ掛けるだけで、ネット本体が碍子取替器に取り付けられるため、容易かつ迅速に碍子支持ネットを取り付けることができる。
【００１２】
請求項３の発明によれば、ネット本体が半円筒状の簡易な構成のため、低コストで碍子支持ネットを製作することが可能となる。また、碍子取替器で挟まれた碍子の下側がネット本体で半円筒状に覆われるため（ネット本体が碍子の下側周囲を囲むように覆うため）、碍子や連結ピンの落下をより確実に防止することが可能となる。
【図面の簡単な説明】
【００１３】
【図１】この発明の実施の形態に係る碍子支持ネットを碍子取替器に取り付ける前の状態を示す斜視図である。
【図２】図１の碍子支持ネットを碍子取替器に被せた状態を示す平面図である。
【図３】図１の碍子支持ネットを碍子取替器に被せた状態を示す側面図である。
【図４】図１の碍子支持ネットを碍子取替器に被せる直前の状態を示す正面図である。
【図５】図１の碍子支持ネットを碍子取替器に被せた直後の状態を示す正面図である。
【図６】図１の碍子支持ネットを碍子取替器に被せて碍子取替器を反転させた状態を示す平面図である。
【図７】図１の碍子支持ネットを碍子取替器に被せて碍子取替器を反転させた状態を示す側面図である。
【発明を実施するための形態】
【００１４】
以下、この発明を図示の実施の形態に基づいて説明する。
【００１５】
図１〜図７は、この発明の実施の形態を示し、図１は、この実施の形態に係る碍子支持ネット２０をターンバックル式の碍子取替器１０に取り付ける前の状態を示す斜視図である。この碍子支持ネット２０は、碍子１が複数連結された碍子連７のなかから、特定の碍子１を交換するために用いられる碍子取替器１０に取り付けられるネットであり、主として、ネット本体２１と取付具２２とを備える。
【００１６】
ここでまず、碍子１と碍子取替器１０について説明する。
【００１７】
碍子１は、磁器製で、図６に示すように、傘部２と頭部３とが一体的に形成され、傘部２の端部および頭部３の端部にはそれぞれ、連結用金具４、５が埋設状に固設されている。そして、隣接する２つ碍子１、１のうち、一方の碍子１の傘部２側の連結用金具４と他方の碍子１の頭部３側の連結用金具５とに連結ピン６が挿入されることにより、２つの碍子１、１が連結されている。このようにして、碍子１が複数連結されて、碍子連７が構成されている。
【００１８】
また、図３に示すように、碍子１の頭部３の基部周面には、断面三角状の引掛突条３ａが形成され、後述する碍子取替器１０の把持部に形成された引掛溝１６に係合するようになっている。
【００１９】
さらに、図示は省略するが、碍子連７は、その鉄塔側の碍子１が接地ヨークを介して鉄塔に連結され、また、架空送電線側の碍子１がライン側ヨークを介して送電線に連結されている。これにより、碍子連７は、送電線の自重により鉄塔から引っ張られる方向に張力が常に働いている。
【００２０】
碍子取替器１０は、図１に示すように、碍子連７のうち離間した２つの碍子１と碍子１とをそれぞれ把持する把持金具１１と、これら２つの把持金具１１の両端同士を連結して碍子連７の連結方向に延びる棒状のターンバックル１７とで構成され、全体として枠状を呈している。
【００２１】
把持金具１１は、中央部にリング状の把持部が形成され、該把持部に碍子１の頭部３が把持、係合されるものである。すなわち、この把持金具１１は、略半円弧状で両端が水平に延びる下側固定金具１２と上側可動金具１３とが、リングを形成するように配設され構成されている。
【００２２】
上側可動金具１３は、下側固定金具１２に対してその一端でヒンジ１４により回動（開閉）自在に連結され、他端が蝶ねじ１５により下側固定金具１２に対して着脱（ロックおよびロック解除）自在となっている。これにより、把持金具１１は、蝶ねじ１５を外して上側可動金具１３を開けることで、リング状の把持部が開放されて、碍子１の頭部３を把持部に位置させることができる。そして、可動金具１３を閉じて蝶ねじ１５を締めることで、碍子１の頭部３を下側固定金具１２と上側可動金具１３とで挟持、把持することができる。
【００２３】
また、下側固定金具１２および上側可動金具１３で形成されるリング状の把持部には、その内周面に碍子１の頭部３の引掛突条３ａが係合する引掛溝１６が形成されている。これにより、把持金具１１で碍子１の頭部３を把持した際に、強固に把持することができるものである。
【００２４】
ターンバックル１７は、２つの把持金具１１、１１にそれぞれ連結された２対のねじロッド１８、１８と、これら２対のねじロッド１８、１８に螺合される胴体ナット１９とで構成され、胴体ナット１９には、ラチェット機能を有するラチェットロッド３０が取着されている。すなわち、対向する２つの把持金具１１、１１と４つのねじロッド１８、１８とが、略四角形の枠状に配設され、端部が向かい合う２つのねじロッド１８、１８が胴体ナット１９を介して連結されている。
【００２５】
また、端部が向かい合う２つのねじロッド１８、１８には、それぞれ逆ねじが形成され、胴体ナット１９を回転させることで、ねじロッド１８、１８の両端、つまり２つの把持金具１１、１１の間隔を拡げたり、狭めたりすることができる。この際、胴体ナット１９にはラチェットロッド３０が取着されているため、ラチェットロッド３０を円弧方向に往復運動させることで、簡単に把持金具１１、１１の間隔を拡げたり狭めたりすることができるものである。
【００２６】
次に、碍子支持ネット２０の構成について説明する。
【００２７】
ネット本体２１は、碍子１を連結する連結ピン６が通過できない網目の大きさを有し、かつ、碍子１を保持可能な網状体である。すなわち、高強度、高硬度を有する材料（例えば、アルミニウム合金やステンレス鋼など）で構成され、碍子１の交換時に作業者が碍子１を誤って手から離してしまっても、ネット本体２１で受け止めることができる（保持できる）ようになっている。
【００２８】
ここで、ネット本体２１の材質として、アルミニウム合金やステンレス鋼などに限定されず、比較的高強度、高硬度なものであればよく、たとえば、硬質プラスチックであってもよい。碍子１は、通常５ｋｇくらいであるので、これに耐えうる強度等を有すればよい。ただし、布製などの伸縮する材料である場合、網目の大きさも変化してしまい、受け止めようとする物（碍子１や連結ピン６など）が網目からこぼれてしまうこともあり得るため、好ましくない。
【００２９】
また、ネット本体２１の網目の大きさは、碍子連７の連結ピン６が抜け落ちない大きさとなっている。これは、後述するように不良碍子１の交換時に、連結ピン６が落下するのを防止するためである。ここで、受け止めようとする物のなかで連結ピン６が最も小さく、連結ピン６を受け止められれば、碍子１を含むすべての物を受け止められる。すなわち、ネット本体２１の網目の大きさは、受け止めようとする物のなかで最も小さい物が抜け落ちない大きさにすればよい。
【００３０】
このようなネット本体２１は、半円筒状に形成され、碍子取替器１０で挟まれた碍子１の下側を半円筒状に覆うようになっている。すなわち、図１に示すように、両端に扇状（半円状）の端面が設けられた半円筒状（外形が蒲鉾状）で、後述するようにして碍子取替器１０に取り付けることで、碍子取替器１０で挟まれた碍子１の下側を半円筒状に覆い（碍子１の下側周囲を囲むように覆い）、かつ、両端の碍子１の側面側を覆うようになっている。
【００３１】
ここで、ネット本体２１が碍子取替器１０に取り付けられた状態で、作業者が碍子１の交換作業などを行うスペースが確保され、かつ、碍子１を保持して作業が容易に行えるように（ネット本体２１が碍子１の下面に近接して保持できるように）、ネット本体２１の形状、大きさが設定されている。また、ネット本体２１の平面の大きさは、碍子取替器１０の平面形状よりもやや大きく設定され、これにより、作業者が碍子１などを誤って手離してしまっても、碍子１などをネット本体２１で確実に受け止められるようになっている。
【００３２】
取付具２２は、ネット本体２１の周縁部に複数設けられ、ネット本体２１を碍子取替器１０に取り付けるためのものである。この実施の形態では、フックで構成され、この取付具２２を碍子取替器１０の棒状のターンバックル１７に引っ掛けることで、ネット本体２１が碍子取替器１０に取り付けられる。
【００３３】
すなわち、図１に示すように、取付具２２は、ヘアピン状のフックで構成され、ネット本体２１のターンバックル１７に対向する両側縁（長辺）に複数設けられている。ここで、取付具２２の材質・強度と配設数は、作業者が碍子１などを誤って手離してしまっても、碍子１などをネット本体２１で安定して受け止められる（保持できる）ように設定されている。
【００３４】
そして、これらの取付具２２をターンバックル１７のねじロッド１８や胴体ナット１９に引っ掛けることで、ネット本体２１が碍子取替器１０に取り付けられる。このとき、取付具２２がヘアピン状になっているため、取付具２２の先端をやや開き気味にした後に引っ掛けることで、取付具２２が抱き着いた状態となって簡単には外れないようになっている。
【００３５】
このようにして取付具２２でネット本体２１を碍子取替器１０に取り付けることで、後述するように、碍子取替器１０で挟まれた碍子１の下側をネット本体２１が覆うことになる。ここで、取付具２２は、ネット本体２１に一体的に形成したものでもよいし、別体の取付具２２をネット本体２１に取り付けてもよい。
【００３６】
次に、このような構成の碍子支持ネット２０の碍子取替器１０への取付手順や、碍子支持ネット２０を使用した碍子１の交換方法などについて説明する。なお、碍子連７に碍子取替器１０を取り付ける手順については、上述のとおりである。
【００３７】
第１に、碍子連７の交換対象となる不良碍子１を含む部分に、これを挟むようにして碍子取替器１０を碍子連７に取り付ける。第２に、図４に示すように、碍子連７に取り付けられた碍子取替器１０の上方からネット本体２１を被せる。第３に、図５に示すように、ネット本体２１の周囲の取付具２２を碍子取替器１０のターンバックル１７に引っ掛ける。これにより、図２、図３に示すように、碍子連７の上面側（１８０度回転させた際に下面となる側）をネット本体２１が覆う状態となる。
【００３８】
第４に、図６、図７に示すように、この状態から碍子取替器１０を１８０度回転させる。これにより、ネット本体２１が碍子取替器１０の下側に位置して、碍子取替器１０で挟まれた碍子１の下側を覆う。このように、碍子取替器１０の上方からネット本体２１を被せて取り付けてから、碍子取替器１０と碍子支持ネット２０を１８０度回転させることで、碍子支持ネット２０を落下させることなく、安全かつ容易に碍子支持ネット２０を取り付けることができる。
【００３９】
第５に、ターンバックル１７を操作して、連結方向に離間して位置する把持金具１１と把持金具１１との間隔を狭める。第６に、これにより、碍子１と碍子１との張力が緩められ、両者を連結している連結ピン６を外して、不良碍子１を取り外す。このとき、ネット本体２１が碍子取替器１０の下方に位置しているため、作業者は無理に不良碍子１を手で支える必要はなく、不良碍子１はネット本体２１に受け止められる（保持される）。もちろん、作業者は不良碍子１を手で支えながら作業を行ってもよい。また、誤って連結ピン６や不良碍子１を手離しても、ネット本体２１に受け止められるため、落下事故を防止することができる。
【００４０】
第７に、新しい碍子１を配置して、隣接する碍子１とに連結ピン６を挿入することで、新しい碍子１を取り付ける。この場合においても、ネット本体２１の上方での作業であるため、碍子１や連結ピン６を誤って手離しても、これらはネット本体２１で受け止められる。
【００４１】
第８に、新しい碍子１を取り付けた後に、ターンバックル１７を操作して碍子取替器１０の連結方向の寸法を拡げ、碍子連７に張力を加える。最後に、この状態から碍子取替器１０を１８０度回転させる。これにより、ネット本体２１が碍子取替器１０の上方に位置され、取付具２２をターンバックル１７から外して碍子支持ネット２０を碍子取替器１０から取り外す。
【００４２】
以上のように、この碍子支持ネット２０によれば、取付具２２でネット本体２１を碍子取替器１０に取り付けることで、碍子取替器１０で挟まれた碍子１の下側が、碍子１を保持可能なネット本体２１で覆われる。このため、作業者が碍子１を手で持つ必要がなく、作業者の負担を軽減でき、碍子１の交換作業を安全かつ容易、迅速に行うことが可能となる。また、ネット本体２１の網目の大きさが、連結ピン６などが通過できない大きさになっているため、碍子１や連結ピン６の落下を防止することが可能となる。しかも、ネット本体２１が網であるため軽く、持ち運びや取り扱いが容易となる。
【００４３】
また、取付具２２がフックで構成されている簡易な構成のため、低コストで碍子支持ネット２０を製作することが可能となる。しかも、フックである取付具２２を碍子取替器１０のターンバックル１７に引っ掛けるだけで、ネット本体２１が碍子取替器１０に取り付けられるため、容易かつ迅速に碍子支持ネット２０を取り付けることができる。
【００４４】
さらに、ネット本体２１が半円筒状の簡易な構成のため、低コストで碍子支持ネット２０を製作することが可能となる。また、碍子取替器１０で挟まれた碍子１の下側がネット本体２１で半円筒状に覆われるため（ネット本体２１が碍子１の下側周囲を囲むように覆うため）、碍子１や連結ピン６の落下をより確実に防止することが可能となる。
【００４５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、ネット本体２１が半円筒状の場合について説明したが、その他の形状（例えば、半四角筒状）であってもよい。また、ネット本体２１を複数の網状体で構成して連結するようにしてもよく、さらに、板材に複数の孔を設けたパチンング板でネット本体２１を構成してもよい。
【００４６】
一方、取付具２２を碍子取替器１０のターンバックル１７に引っ掛けているが、その他の部位（例えば、把持金具１１）に引っ掛けるようにしてもよい。また、取付具２２の形状、構造は、ヘアピン状のフックに限らず、例えば、ターンバックル１７を把持するクリップで構成してもよい。
【００４７】
さらに、碍子支持ネット２０の取付手順などは、作業環境などに応じて、上記の手順以外であってもよい。例えば、碍子取替器１０の上方からネット本体２１を被せて１８０度回転させるのではなく、碍子取替器１０の下方にネット本体２１を直接取り付けてもよい。また、碍子取替器１０がターンバックル式の場合について説明したが、特開２０００−５９９３６号公報に示すような油圧式の碍子取替器にも適用することができる。
【符号の説明】
【００４８】
１      碍子
７      碍子連
６      連結ピン
１０    碍子取替器
１７    ターンバックル
２０    碍子支持ネット
２１    ネット本体
２２    取付具
【図１】
2018085811.tif 000003
【図２】
2018085811.tif 000004
【図３】
2018085811.tif 000005
【図４】
2018085811.tif 000006
【図５】
2018085811.tif 000007
【図６】
2018085811.tif 000008
【図７】
2018085811.tif 000009